(57)【要約】【課題】  製造コストの低い縦樋のサドルを備えた簡易構造物を提供する。【解決手段】  縦樋と、取付材と、カバー材とを備え、取付材は、中空部を有しない押出形材製であり、支柱にネジ止めされる取付部と、縦樋の支持部と、カバー材のネジ止め部とを有しており、取付部は、正面側に開口する凹状をなし、凹状部の背面側が支柱に当接していて、凹状部の内側から支柱にネジ止めされるものであり、支持部は、凹状部よりも正面側に位置していて、縦樋に点接触するものであり、ネジ止め部は、支持部よりも正面側に位置しており、カバー材は、中空部を有しない押出形材製であり、縦樋を正面側から覆うものであって、内周側側方に縦樋との点接触部を有しており、取付材のネジ止め部に側方からネジ止めされている。【選択図】      図１
2020169524.tif 000002
【特許請求の範囲】
【請求項１】
縦樋と、取付材と、カバー材とを備え、
取付材は、中空部を有しない押出形材製であり、支柱にネジ止めされる取付部と、縦樋の支持部と、カバー材のネジ止め部とを有しており、取付部は、正面側に開口する凹状をなし、凹状部の背面側が支柱に当接していて、凹状部の内側から支柱にネジ止めされるものであり、支持部は、凹状部よりも正面側に位置していて、縦樋に点接触するものであり、ネジ止め部は、支持部よりも正面側に位置しており、
カバー材は、中空部を有しない押出形材製であり、縦樋を正面側から覆うものであって、内周側側方に縦樋との点接触部を有しており、取付材のネジ止め部に側方からネジ止めされていることを特徴とする簡易構造物。
【発明の詳細な説明】
【技術分野】
【０００１】
本発明は、通路シェルター等の簡易構造物に関する。
【背景技術】
【０００２】
従来、縦樋を取り付けるためのサドル（取付具）はアルミダイカスト製であり製造コストが高かったため、低コストのものが求められていた。
【先行技術文献】
【非特許文献】
【０００３】
【非特許文献１】三協立山株式会社  「エクステリア建材総合カタログ2018-2019（STX1175A）」2018年2月、p.1484
【発明の概要】
【発明が解決しようとする課題】
【０００４】
本発明は上記の点に鑑み、製造コストの低い縦樋のサドルを備えた簡易構造物を提供することを目的とする。
【課題を解決するための手段】
【０００５】
本発明の簡易構造物は、縦樋と、取付材と、カバー材とを備え、取付材は、中空部を有しない押出形材製であり、支柱にネジ止めされる取付部と、縦樋の支持部と、カバー材のネジ止め部とを有しており、取付部は、正面側に開口する凹状をなし、凹状部の背面側が支柱に当接していて、凹状部の内側から支柱にネジ止めされるものであり、支持部は、凹状部よりも正面側に位置していて、縦樋に点接触するものであり、ネジ止め部は、支持部よりも正面側に位置しており、カバー材は、中空部を有しない押出形材製であり、縦樋を正面側から覆うものであって、内周側側方に縦樋との点接触部を有しており、取付材のネジ止め部に側方からネジ止めされていることを特徴とする。
【発明の効果】
【０００６】
本発明の簡易構造物によれば、取付材とカバー材が中空部を有しない押出形材であるので、従来のダイカスト製のサドルと比べ製造コストを削減できる。さらに、取付材とカバー材からなるサドルの厚みを従来よりも薄く設計できるため、原料コストを削減できることに加え、サドルが目立たず意匠性にも優れる。また、取付材の支持部とカバー材の点接触部がそれぞれ縦樋に点接触していることで、縦樋が支柱へ強固に取り付けられる。そして、カバー材は取付材に側方からネジ止めされているので、正面側からネジが見えにくく意匠性が良い。
【図面の簡単な説明】
【０００７】
【図１】（ａ）は（ｂ）の簡易構造物の要部拡大図であり、（ｂ）は図２のＩ−Ｉ線断面図である。
【図２】本発明の簡易構造物の第一実施形態を示す、（ａ）は（ｂ）のＡ−Ａ線断面図、（ｂ）は側面図である。
【図３】本発明の簡易構造物の第一〜四実施形態の、（ａ）〜（ｃ）は取付材の部品図、（ｄ），（ｅ）はカバー材の部品図である。
【図４】本発明の簡易構造物の、（ａ），（ｂ）は第一実施形態、（ｃ），（ｄ）は第二実施形態を示す横断面図である。
【図５】本発明の簡易構造物の第三実施形態を示す横断面図である。
【図６】本発明の簡易構造物の第四実施形態を示す横断面図である。
【発明を実施するための形態】
【０００８】
以下、本発明の実施の形態を図面に基づいて説明する。以下の好ましい実施形態の説明は例示に過ぎず、本発明、その適用物あるいはその用途を制限することを意図するものではない。以下の説明において正面側及び背面側とは、図１，図３，図５及び図６に示される通りとし、前後及び左右とは図２に示す方向とする。
【０００９】
図１〜図３は、本発明の簡易構造物の第一実施形態であって、通路シェルターとしたものである。本簡易構造物は、図２に示すように、梁１１の両端を円筒状の支柱１２ａ，１２ａに連結した門型のフレームを左右に間隔をおいて備え、左右の梁１１にそれぞれ連結された桁１３，１３に、上方へ円弧状に湾曲した屋根１４が取り付けられて設置されている。桁１３の前後にそれぞれ設けられた水抜き孔には、傾斜した呼び樋１５が取り付けられており、呼び樋１５の下部には、断面略円状の縦樋１６がドレインエルボを用いて取り付けられている。縦樋１６は、複数箇所においてサドル２によって支柱１２ａに固定されている。
【００１０】
サドル２は、図１及び図３に示すように、支柱１２ａにネジ止めされて取り付けられた取付材３と、取付材３にネジ止めされて縦樋１６を正面側から覆うカバー材４から構成されており、取付材３及びカバー材４は、中空部を有しないアルミ押出形材製である。
【００１１】
取付材３は、支柱１２ａにネジ止めされる取付部３１と、縦樋１６を背面側から支持する支持部３２と、カバー材４のネジ止め部３３を有している。取付部３１は断面視略コ字状であって、正面側に開口する凹状部３１ａを有しており、凹状部３１ａの底壁３１ｂの背面側には、計４箇所の突起状の当接部３１ｄが、取付材３の上下方向に亘って設けられている。底壁３１ｂは中央部にネジ孔３１ｃを有しており、４箇所の当接部３１ｄのうち内側の２箇所が支柱１２ａに点接触していて、凹状部３１ａの内側から、すなわち正面側から支柱１２ａにネジ止めされている。ネジ孔３１ｃは長孔であるため、取付材３を支柱１２ａに取り付ける際の位置調整が可能である。支持部３２は、凹状部３１ａの左右の正面側端部にそれぞれ位置しており、縦樋１６に背面側から点接触して、縦樋１６を支持している。ネジ止め部３３は、凹状部３１ａの左右の正面側端部からそれぞれ側方へと延びた断面略Ｌ字状であり、支持部３２よりも正面側に位置している。ネジ止め部３３は、支持部３２から側方へ延びた腕部３３ａと、腕部３３ａの正面側端部から正面側へと延びた固定片３３ｂを有しており、固定片３３ｂにカバー材４が側方からネジ止めされている。なお、固定片３３ｂの厚みは縦樋１６の傷つき防止のため、ネジの先部が露出しない程度である。
【００１２】
カバー材４は、断面略Ｕ字状をなしており、内周側の左右それぞれに、縦樋１６との点接触部４１，４１をカバー材４の上下方向に亘って有する。カバー材４の左右の背面側端部はそれぞれ略平板状をなしており、取付材３のネジ止め部３３の固定片３３ｂに外周側側方からネジ止めされている。
【００１３】
次に、第一実施形態の簡易構造物の構成による作用及び効果について説明する。本簡易構造物によれば、取付材３とカバー材４が中空部を有しないアルミの押出形材であるので、従来のダイカスト製のサドルと比べ、製造コストを削減できる。さらに、取付材３とカバー材４からなるサドルの厚みを従来のダイカスト製よりも薄く設計できるため、原料コストを削減できることに加え、サドル２が目立たず意匠性にも優れる。
【００１４】
また、取付材３の支持部３２，３２及びカバー材４の点接触部４１，４１がそれぞれ縦樋１６に点接触していることで、面接触する場合と比較して縦樋１６が支柱１２ａへ強固に取り付けられる。
【００１５】
さらに、取付部３１が支柱１２ａへの複数の点接触部（当接部３１ｄ）を有していることで、面接触する場合と比較して縦樋１６が支柱１２ａへ強固に取り付けられる。
【００１６】
また、カバー材４は取付材３に側方からネジ止めされているので、正面側からネジが見えにくく意匠性が良い。
【００１７】
次いで、本発明の第二乃至第四実施形態の構成及びその作用効果について説明する。第二乃至第四実施形態は、基本的な構成は第一実施形態と同一であるが、支柱１２ｂ〜ｄの断面形状のみにおいて相違している。
【００１８】
図４（ｃ），（ｄ）は第二実施形態であって、比較のため図４（ａ），（ｂ）に示した第一実施形態よりも、断面略円形の支柱１２ｂの外径が大きい。このように、支柱の径の異なる場合においても、図４（ｃ）のように、取付材３の４箇所の当接部３１ｄのうち内側の２箇所が支柱１２ｂに点接触した状態で取付材３が支柱１２ｂにネジ止めされる。このような構成により、支柱の径、言い換えると支柱のサドル取り付け部分の曲率によらず安定してサドルを取り付けることができ、汎用性に優れる。
【００１９】
また、図５は第三実施形態であって、支柱１２ｃのサドル取り付け部分が平面の場合である。このような場合には、図５（ａ）のように取付材３の４箇所の当接部３１ｄが全て支柱１２ｃに点接触した状態で取付材３が支柱１２ｃにネジ止めされる。このような構成によって、支柱の形状によらず安定してサドルを取り付けることができ、汎用性に優れる。
【００２０】
また、図６は第四実施形態であって、支柱１２ｄのサドル取り付け部分が曲面の場合である。このような場合には、図６（ａ）のように取付材３の４箇所の当接部３１ｄのうち内側の２箇所が支柱１２ｄに点接触した状態で取付材３が支柱１２ｄにネジ止めされる。このような構成によって、支柱の形状によらず安定してサドルを取り付けることができ、汎用性に優れる。
【００２１】
本発明は、上記の実施形態に限らず本発明の要旨を逸脱しない範囲で変形可能であり、簡易構造物の各部の形状、寸法等は適宜変更できる。
【符号の説明】
【００２２】
１２ａ〜ｄ  支柱
１６        縦樋
３          取付材
３１        取付部
３１ａ      凹状部
３２        支持部
３３        ネジ止め部
４          カバー材
４１        点接触部
【図１】
2020169524.tif 000003
【図２】
2020169524.tif 000004
【図３】
2020169524.tif 000005
【図４】
2020169524.tif 000006
【図５】
2020169524.tif 000007
【図６】
2020169524.tif 000008